(57)【要約】  フェールセーフの電動スイッチシステムは、（ａ）高圧電源と負荷の間の開閉接触子のために適合された電動負荷開閉器システム；（ｂ）前記電動負荷開閉器システムに接続されたエネルギー蓄積装置；および（ｃ）前記エネルギー蓄積装置に接続されるとともに、電源が取り除かれると前記電動負荷開閉器システムが前記高圧電源と前記負荷との間の接触子をオープンすることを保証するべく制御ロジックでプログラムされた制御装置、を備える。【選択図】図３
2013534359.tif 000002
【特許請求の範囲】
【請求項１】
フェイルセーフ電動開閉システムであって、
高圧電源と負荷の間の開閉接触子のために適合された電動負荷開閉器システム；
前記電動負荷開閉器システムに接続されたエネルギー蓄積装置；および
前記エネルギー蓄積装置および前記電動負荷開閉器システムに接続されるとともに、電源が取り除かれると前記電動負荷開閉器システムが前記高圧電源と前記負荷との間の接触子をオープンすることを保証するべく制御ロジックでプログラムされた制御装置、
を備えることを特徴とするシステム。
【請求項２】
前記電動負荷開閉器システムは、電動負荷開閉器の作動を制御するための電動負荷開閉器および制御システムをさらに備えることを特徴とする請求項１に記載したシステム。
【請求項３】
電動負荷開閉器は、少なくとも１つの入力セレクターおよび少なくとも１つのインジケータを有する制御インタフェースをさらに備え、
前記制御インタフェースは、前記少なくとも１つの入力セレクターを介して、前記電動負荷開閉器を制御するためのオペレーター入力を受け入れるとともに、前記少なくとも１つのインジケータを介して前記電動負荷開閉器に関する情報を表示するように構成されていることを特徴とする請求項２に記載したシステム。
【請求項４】
前記電動負荷開閉器は電動開閉器をさらに備え、
前記電動開閉器は、
長手方向に伸びるシャフト上の複数の回転開閉器；
前記シャフトから軸方向に延びるハンドル；
前記シャフトに接続されたモータ；および
前記シャフトに接続された蓄積エネルギー機構、
をさらに有することを特徴とする請求項３に記載したシステム。
【請求項５】
前記ハンドルは、前記電動開閉器を操作するとともに前記蓄積エネルギー機構をリセットするために手動で回転されるように適合されていることを特徴とする請求項４に記載したシステム。
【請求項６】
高圧電源と負荷の間の接触子を開閉する方法であって、
高圧電源と負荷の間に電動負荷開閉器システムを設ける段階；
前記電動負荷開閉器システムにエネルギー蓄積装置を接続する段階；
前記電動負荷開閉器システムおよび前記エネルギー蓄積装置に制御装置を接続する段階；
電源が取り除かれると前記電動負荷開閉器システムが高圧電源と負荷との間の接触子をオープンするように制御ロジックで制御装置をプログラムする段階、
を備えることを特徴とする方法。
【請求項７】
前記電動負荷開閉器システムは、電動負荷開閉器および前記電動負荷開閉器の作動を制御するための制御システムを備えることを特徴とする請求項６に記載した方法。
【請求項８】
電動負荷開閉器は、少なくとも１つの入力セレクターおよび少なくとも１つのインジケータを有する制御インタフェースをさらに備え、
前記制御インタフェースは、前記少なくとも１つの入力セレクターを介して、前記電動負荷開閉器を制御するためのオペレーター入力を受け入れるとともに、前記少なくとも１つのインジケータを介して前記電動負荷開閉器に関する情報を表示するように構成されていることを特徴とする請求項７に記載した方法。
【請求項９】
前記電動負荷開閉器は電動開閉器をさらに備え、
前記電動開閉器は、
長手方向に伸びるシャフト上の複数の回転開閉器；
前記シャフトから軸方向に延びるハンドル；
前記シャフトに接続されたモータ；および
前記シャフトに接続された蓄積エネルギー機構、
をさらに有することを特徴とする請求項８に記載した方法。
【請求項１０】
前記ハンドルは、前記電動開閉器を操作するとともに前記蓄積エネルギー機構をリセットするために手動で回転されるように適合されていることを特徴とする請求項９に記載した方法。
【発明の詳細な説明】
【技術分野】
【０００１】
本発明は電動開閉器に関する。
【背景技術】
【０００２】
米国特許第２，２８０，８９８号は、回路遮断器のためのコンデンサ引外し装置を開示している。米国特許第３，０６４，１６３号は、電気回路遮断器のためのコンデンサ引外し装置を開示している。米国特許第３，２１１，９５８号は、回路遮断器のためのコンデンサ引外し装置を開示している。米国特許第６，８４２，３２２号は、引外しコイル供給用コンデンサを備えた電子引外し装置を開示している。米国特許第７，４３２，７８７号は、電動負荷開閉器の制御システムおよび方法を開示している。これらの特許は、その全体が参照によって本願明細書に組み込まれるものとする。
【発明の概要】
【発明が解決しようとする課題】
【０００３】
中圧開閉装置のような高電圧開閉機構は、現在、高価で大きなフットプリントの接触器を用いている。接触器の代わりに電動開閉器を用いることは、様々な理由で有利である。しかしながら、接触器とは異なり、電動開閉器は電力を失うとそれらの開放状態あるいは閉成状態を保持するようになっている。接触器においては、磁気コイルにエネルギーが与えられると接触を閉じるとともに、コイルへの電力が取り除かれ（あるいは失われると）スプリング機構が接触を開放し、したがって接触器は常に電力を失うと開放することが保証されている。
【０００４】
電動開閉器におけるこの制約は、電力が取り除かれたときに開閉機構が開放することが望まれる用途における、それらの使用を不可能にする。そのような特徴が必要とされる一つの実例は、負荷に電源を接続するために開閉装置（最も一般的には接触器）を用いる中圧開閉装置あるいは可変周波数駆動装置のようないくつかの配電用設備である。
【０００５】
これらの用途においては、電源が取り除かれて開閉装置が閉じたままになると、電力が回復するとオペレータの制御なしに負荷が電源に直接接続されることになり、それは極めて不適当である。
【０００６】
従来技術において周知の電動開閉器のための多くの設計があるが、かなりの欠点が残ったままである。必要なものは、電力が失われたときに「開放」位置に自動的に切り替わる電動開閉器である。
【課題を解決するための手段】
【０００７】
１つの態様において、本発明は、フェイルセーフの電動スイッチシステムであって、（ａ）高圧電源と負荷の間の接触子を開閉するように構成された電動負荷開閉器システム；（ｂ）電動負荷開閉器システムに接続されたエネルギー蓄積装置；および（ｃ）エネルギー蓄積装置および電動負荷開閉器システムに接続されて、電源が取り除かれたときに高圧電源と負荷の間の接触子を電動負荷開閉器システムが開放することを保証する制御ロジックでプログラムされた制御装置を備えるシステムを提供する。
【０００８】
本発明の他の態様において、高圧電源と負荷の間の接触子を開閉する方法は：高圧電源と負荷の間に電動負荷開閉器システムを設ける段階；電動負荷開閉器システムにエネルギー蓄積装置を接続する段階；エネルギー蓄積装置に制御装置を接続する段階；および電源が取り除かれたときに高圧電源と負荷との間の接触子を電動負荷開閉器システムが開放するように制御ロジックで制御装置をプログラムする段階を含む。
【０００９】
追加の目的、特徴および利点は以下の明細書において明白になる。
【００１０】
本発明の新規な特徴および特性は添付の請求範囲に示されている。しかしながら、本発明それ自身は、使用の好ましいモード、さらなる目的および利点と共に、添付の図面と共に読むときに、以下の詳しい説明を参照することによって最も良く理解される。なお、参照数字における左端の有効数字は、各参照数字が現われる最初の図を表している。図面の説明は以下のとおりである。
【００１１】
本発明は様々な変更および代わりの形態に影響され得るとともに、その特定の実施形態が実施例として図示されかつ詳細に説明されている。しかしながら、ここで理解されるべきことは、この特定の実施形態の説明が本発明を開示された特定の実施形態に限定する意図はなく、それとは反対に、添付の請求の範囲によって定義される発明の範囲内にある変更物、等価物および選択肢のすべてカバーすることを意図していることである。
【図面の簡単な説明】
【００１２】
【図１】先行技術の電動開閉器の透視図。
【図２】電動開閉器のための先行技術の制御機構の図解表示。
【図３】本発明の電動開閉器のための故障時開システムの実施形態の図解表示。
【発明を実施するための形態】
【００１３】
本発明の実例となる実施形態が、以下に説明されている。明瞭さのために、現実の実施のすべての特徴がこの明細書に説明されてはいない。そのような現実の実施の進展においては、開発者の特定の目標を達成するために、システムに関連しかつビジネスに関連して一つの実施から他の実施へと変化する制約への対応といった多数の実施に特有の決定を下さなければならないことは、理解されるだろう。そのような開発の努力は複雑でありかつ時間がかかるものではあるが、この開示の利益がある技術における当業者の日常の仕事であることは理解されるだろう。
【００１４】
図１は、３つの回転開閉器１０３ａ、１０３ｂ、１０３ｃを含む先行技術の電動開閉器１０１を描いている。回転開閉器１０３ａ、１０３ｂおよび１０３ｃは、１つ以上の電源の単相および／または１つ以上の負荷を切り替えるのに適している。
【００１５】
例えば、高圧電源１０５は、その第１相を固定接触子１０７ａに接続し、その第２相を固定接触子１０７ｂに接続し、かつその第３相を固定接触子１０７ｃに接続している。高圧電源１０９は、第１、第２および第３の相を固定接触子１１１ａ、１１１ｂ、１１１ｃにそれぞれ接続している。したがって、回転開閉器１０３ａが固定接触子１０７ａ、１１１ａにより電源１０５、１０９の第１相を選択し、回転開閉器１０３ｂが固定接触子１０７ｂ、１１１ｂにより電源１０５、１０９の第２相を選択し、かつ回転開閉器１０３ｃが固定接触子１０７ｃ、１１１ｃにより電源１０５、１０９の第３相を選択する。
【００１６】
この３相電動開閉器１０１は回転開閉器１０３ａ、１０３ｂ、１０３ｃを同時に切り替えるように適合されている。より明確には、回転開閉器１０３ａ、１０３ｂ、１０３ｃは縦方向に伸びるシャフト１１３上に支持されており、かつハンドル１１５がシャフト１１３から軸方向に延びている。ハンドル１１５は、シャフト１１３に接続された蓄積エネルギー機構１１７をチャージするために、例えば矢印Ａで示す第１の回転方向に回転する。シャフト１１３は回転開閉器１０３ａ、１０３ｂ、１０３ｃを接続している。例えば、シャフト１１３は、回転開閉器１０３ａ、１０３ｂ、１０３ｃ各回転軸を通って延びている。解放されると、蓄積エネルギー機構１１７は、シャフト１１３がオペレーターの速度とは無関係の速度で回転開閉器１０３ａ、１０３ｂ、１０３ｃ同時に回転させるようにする。あるいは、各回転開閉器１０３ａ、１０３ｂ、１０３ｃは、シャフト１１３の回転に基づいて各回転開閉器１０３ａ、１０３ｂ、１０３ｃを始動させる別個のアクチュエーターを含む。いずれにしても、３相電力開閉器１０１は第１電源１０５の３相から第２電源１０９の３相へ同時に切り替えるために用いられる。あるいは、３相電力開閉器１０１は、２つの負荷を単一の三相電源間との間で切り替えるように適合される。
【００１７】
回転開閉器１０３ａ、１０３ｂ、１０３ｃが矢印Ａの第１方向に完全に回転すると、ハンドル１１５は矢印Ａとは反対方向の矢印Ｂで示される第２方向に回転し、上述したように蓄積エネルギー機構１１７をリセットする。モータ１１９はハンドル１１５と機械的なリンク機構１２１で接続されていて、モータ出力軸が矢印ＡおよびＢの方向に所定量だけ回転するとハンドル１１５も回転する。リンケージ１２１は、必要な場合あるいは望ましい場合にハンドル１１５から手動で分離され、かつハンドル１１５は開閉器を操作しおよび／または蓄積エネルギー機構１１７をリセットするために手動で回転される。１つの実施形態では、ハンドル１１５は、開閉器１０１の第１および第２の運転条件の間でその軸の回りに約３６０度回転する。
【００１８】
仕切板１２３ａ、１２３ｂが設けられて、別個の位相の間でのあるいは位相とグラウンドとの間でのアーク発生を抑えるための電気的なバリアを形成しており、そうでなければ３相電力開閉器１０１に損傷が生じることになり得る。初期の位相間あるいは位相とグラウンドの間のアーク発生を防止することにより、仕切板１２３ａ、１２３ｂは、３相電力開閉器１０１の安全性および信頼度を高める。
【００１９】
図２は、典型的な先行技術の高電圧電動負荷開閉システム２０１の概略図である。このシステムは電動負荷開閉器２０３を備えているが、単なる例示を目的としてその特徴を説明するべく、以下に詳細に説明する。
【００２０】
典型的な実施形態において、先行技術の電動負荷開閉器２０３は、高圧電源２０７と負荷２０９の間の電気パス(electrical path)２０５を定める。電気パス２０５は、金属製のスイッチ接点２１１、２１３を含む回転移動開閉器１０３を有しており、かつ回転移動開閉器１０３は、接触子２１１、２１３を介して電気パス２０５を開閉するように構成されあるいは適合されている。高圧電動負荷開閉器２０３は、高圧電動負荷開閉器２０３の要素を誘電性の流体２１７に漬けた状態に保持するケーシング２１５内で用いられる。既知のやり方において、高圧電源２０７から負荷２０９を分離するために回転開閉器１０３ａ、１０３ｂ、１０３ｃを開放するときに誘電性の流体２１７はアーク発生２１９を抑える。異なる実施形態では、誘電性の流体２１７は、例えば、鉱油、植物油、多価アルコールエステル、ＳＦ６ガス、シリコーン流体のような合成油、およびそれらの混合物といったベース成分を含む。
【００２１】
電動高圧負荷開閉器２０３は、例えば、地下配線設備および／または分配器、電力変圧器あるいは開閉装置の内部の多相産業設備に設置される。通常、電流は閉じた接触子２１１、２１３によって運ばれる。電動負荷開閉器２０３が開放されるとき、電流は、接触子２１１、２１３が開放して分離するときに形成される電気アークを介して運ばれる。当業者が理解するように、電動負荷開閉器２０３が接触子２１１、２１３の開放によって形成されるアーク２１９を妨げて消滅させる能力は、接触子が分離するときにアーク２１９が移動する長さ、誘電性の流体２１７の熱力学および誘電特性、金属製の接触子２１１、２１３の特性、接触子２１１、２１３が引き離される速さ、アーク２１９が冷えて交流回路における正常な電流０を通すときに誘電性の流体２１７が誘電性の性能を回復する速さ、およびアーク２１９が誘電性の流体２１７を通ったときに生成されたガスの量および種類、の関数である。
【００２２】
これを考慮すると、電動負荷開閉器２０３は、回転移動開閉器１０３のまわりの誘電性の流体２１７を循環させて、炭化成分および気泡のようなアークによって生じた伝導性の不純物を取り除くことによって誘電性の流体２１７の強度を高める、流体循環機構２２１を選択的に備えることができる。
【００２３】
先行技術の典型的な実施形態においては、回転移動開閉器１０３および流体循環機構２２１は、ケーシング２１５の外部に延びるハンドル１１５によって始動される回転軸１１３上に支持されている。ハンドル１１５は、例えば、必要に応じて回転移動開閉器１０３を動かすために回され、かつハンドル１１５が所定の位置にあるときに回転移動開閉器１０３の作動位置を示す印がスイッチケース２１５の外部に設けられる。例えば、ばね要素を含む既知の蓄積エネルギー機構１１７は、電気パス２０５を開閉するべく、一つの位置から他の位置へと回転移動開閉器１０３を駆動しあるいは割り出すために設けられる。既知のやり方では、ハンドル１１５の回転は蓄積エネルギー機構１１７をチャージし、かつハンドル１１５の動きを介して回転移動開閉器１０３が解放されると、蓄積エネルギー機構１１７は適切な速度で回転移動開閉器１０３を移動させ、電動負荷開閉器２０３が操作されたときにアークを延長して流体と相互作用し負荷電流を安全に妨げるようにする。ハンドル１１５は例えば、時計回りにあるいは反時計回りに方回転移動開閉器１０３を駆動して電動負荷開閉器２０３を始動させるべく操作可能である。
【００２４】
先行技術の一実施形態において、電動負荷開閉器２０３は、以下に説明するように例えば４位置切替器であり、シャフト１１３の移動は接触ブレードをある位置から他の位置へとシフトさせ、かつブレードの移動は、シャフト１１３と共に回転する接触子とスイッチブロックに固定された固定接触子との間の電気的な接続を壊しあるいは作ることによって電源および／または負荷の接続あるいは離隔を再構成する。蓄積エネルギー機構１１７をチャージするためにハンドル１１５が回転したとき、カムシステムがかんぬきを解放するのでシャフト１１３は自由に回転することができる。その後、シャフト１１３はスプリングに蓄積されたエネルギーによって駆動され、かつシャフト１１３は、ハンドル１１５を始動させることにより３６０度の回転を越えて同じ方向に回転し続け得る。適切に作動するために、回転移動開閉器１０３は、ハンドル１１５の起動に応じて開閉操作を完了するとともに、開閉操作が完了した後に休息位置に戻らなければならない。
【００２５】
他の実施形態では、先行技術の電動負荷開閉器２０３は２位置オン／オフ開閉器であり、蓄積エネルギー機構１１７はオーバートグルスプリングであって、３６０度未満の範囲にわたってシャフト１１３の運動を制御する。この場合、オン位置とオフ位置との間で開閉器を作動させるために、シャフト１１３の移動は逆転されなければならない。
【００２６】
２位置あるいは４位置のいずれの開閉器においても、開閉器を正確に操作するために、ハンドル１１５は典型的に解放点を超える距離だけ回転しなければならない。回転移動開閉器１０３の移動可能なスイッチは、絶縁構造にマウントされた固定接触子と、受け入れ可能な電流輸送能力を保証するのに十分な接触子間力で係合する。従って、ハンドル１１５を解放点に移動させて、接触子間の接続を壊し、かつ蓄積エネルギー機構１１７に開閉機構の移動の残りを完了させるにはかなりの入力トルクが必要である。ハンドル１１５への入力トルクを適切に制御することは困難であり、かつオペレーターは開閉機構を解放するハンドル１１５上に過度の力を働かせる傾向がある。ハンドル１１５の始動を電動化しても、モータの始動トルクの制御は簡単ではなく、典型的に蓄積エネルギー機構１１７をいくらかロードすることになる。加えて、開閉機構を解放するのに必要なトルクの量は、温度の変動、電流の変動および他のファクターにより、異なる時間および場所において変化する。そのような蓄積エネルギー機構１１７のロードは、いかなる程度であっても、不適当であって電動負荷開閉器２０３の一層の使用を害する。
【００２７】
したがって、電動負荷開閉器２０３の適正な作動を保証するためには、電動負荷開閉器２０３が再び操作される前に機構１１７が休息あるいは中立に戻るようにするべく、ハンドル１１５の操作による蓄積エネルギー機構１１７のローディングは蓄積エネルギー機構１１７から取り除かなければならない。特に設計されたツールを持ったラインテクニシャンによって手動で操作された時、機構１１７は自らリセットされる。もし電動駆動装置と共に用いると、オートリセット機構１１７はモータによって機構上に残された力によって打ち負かされ、それによって電動負荷開閉器２０３が遠隔制御される能力を妨げる。
【００２８】
これらのおよび他の関係を緩和するために、制御システム２２３が設けられる。図２に示したように、制御システム２２３は、モータ１１９、モータ１１９と通信する制御装置２２７、制御装置２２７と通信する１つ以上のセンサーあるいは変換器２２９、および制御インタフェース２３１を備えている。
【００２９】
モータ１１９は、制御装置２２７に応答するとともに、スイッチハンドル１１５に機械的にリンクされていて、回転スイッチ１０３が解放される位置にハンドル１１５を回転させる。蓄積エネルギー機構１１７は、回転スイッチ１０３の全開位置あるいは全閉位置への移動を完了させる。一つの実施例として、モータ１１９は既知の電気モータである。さらなる実施形態においては、モータ１１９は、所定の位置に出力軸を漸増的に回転させるステッピングモータであり、モータ出力軸の位置は正確に位置決めされる。蓄積エネルギー機構１１７が回転スイッチ１０３の移動を完了させる解放姿勢にハンドル１１５を投入するために、様々な交流および直流の電動機を用いることができる。
【００３０】
制御装置２２７は、例えばモータ１１９および制御インタフェース２３１に接続されたマイクロコンピュータあるいは他のプロセッサ２３３である。メモリ２３５もまた制御装置２２７に接続されるとともに、命令、較正定数、および以下に説明するように電動負荷開閉器２０３を満足に操作するために必要な他の情報を格納する。メモリ２３５は、例えばランダムアクセス記憶装置（ＲＡＭ）である。他の実施例では、ＲＡＭメモリと共にフラッシュメモリー（ＦＬＡＳＨ）、プログラマブル読取専用メモリ（ＰＲＯＭ）および電子的に抹消できるプログラマブル読取専用メモリ（ＥＥＰＲＯＭ）を含む他の形態のメモリを用いることができるが、それらには限定されない。
【００３１】
制御システム２２３への動力は、電力線Ｌに接続されるように構成されあるいは適合された電源２３７によって制御装置２２７に供給される。アナログ−デジタルおよびデジタル−アナログ変換器は、センサー２２９からの制御入力を実行するとともにモータ１１９への制御出力を生成する命令を実行するために、必要に応じて制御装置２２７に接続される。
【００３２】
制御インタフェース２３１は、電動負荷開閉器２０３の場所あるいは離れた場所に設けられる。このインタフェース２３１は、モータ１１９を起動して電動負荷開閉器２０３を開閉するべくオペレーターによって用いられるボタン、ノブ、キーパッド、タッチパッドおよびその等価物のような１つ以上の制御セレクター２３９を含んでいる。このインタフェースはまた、オペレータに作動および状態の情報を伝達する発光ダイオード（ＬＥＤ）、ランプ、液晶ディスプレイ（ＬＣＤ）およびその等価物といった１つ以上のインジケータ２４１を含んでいる。この制御インタフェース２３１は、電動負荷開閉器２０３のオペレーターに適切なメッセージおよび／またはインジケータを表示するために、かつ例えば電動負荷開閉器２０３のユーザー入力および作動状態を確認するために、制御装置２２７に接続されている。
【００３３】
制御インタフェース２３１のユーザー操作に応じて、制御装置２２７は１つ以上のセンサーあるいは変換器２２９で電動負荷開閉器２０３の作動ファクターをモニターし、かつ制御装置２２７はモータ１１９を介してスイッチハンドル１１５を始動させる。制御装置２２７は、既知の監視制御およびデータ収集（ＳＣＡＤＡ）システムのような遠隔作動管理システム２４３にさらに接続されている。遠隔作動管理システム２４３を用いることにより、電動負荷開閉器２０３は遠隔的にモニターされかつコントロールされる。
【００３４】
ここで図３を参照すると、無停電電源装置あるいはバッテリーのようなエネルギー蓄積装置３０１は、電源２０７が供給されている制御電力変圧器３０７によって絶えずチャージされている。制御ロジックを用いて、高圧負荷開閉器２０１を開閉するために、エネルギー蓄積装置３０１からの電力は、負荷開閉器システム２０１に関連付けられた「オープンコイル」制御接触子３０３および「クローズコイル」制御接触子３０５に向けられる。エネルギー蓄積装置３０１はまた、負荷開閉器システム２０１の内部のモータ１１９にも電力を供給する。開閉器３０６がクローズ位置に移動すると、開閉制御コイル３０８にはエネルギーが与えられ、常閉制御接触子３０５および常開制御接触子３０３はその状態が変化してそれぞれ開放しかつ閉じられる。エネルギー蓄積装置３０２の出力は、このように負荷開閉器２０１のクローズコイル入力電源ターミナルに導かれ、したがって負荷開閉器２０１を閉じる。ユーザーが開閉器３０６を開く場合、開閉制御コイル３０８は電源が切れ、常閉制御接触子３０５および常開制御接触子３０３はそれらの通常状態にそれらの状態が変化し、それぞれ閉じられかつ開かれる。また、エネルギー蓄積装置３０２の出力は、負荷開閉器２０１のオープンコイル入力電源ターミナルにこのように導かれ、それによって負荷開閉器２０１を開く。
【００３５】
電源２０７からの、続いて制御電力変圧器３０７からの電力供給が失われた場合、開閉制御コイル３０８は電源が切れ、開閉器３０６の位置にかかわらず常閉制御接触子３０５および常開制御端子３０３はそれらの正常状態に戻り、したがってエネルギー蓄積装置３０２から負荷開閉器２０１のオープンコイル入力電源ターミナルに電力を導く。
【００３６】
言いかえると、制御ロジックは、電力が失われるとエネルギー蓄積装置３０１の出力が負荷開閉器２０１のオープンコイル入力電源ターミナルに導かれるように設計されている。そしてエネルギー蓄積装置３０１は、電源２０７が無い場合に負荷開閉器２０１のオープンコイルにエネルギーを与えるのに十分なエネルギーを蓄積するように設計されている。
【００３７】
上に開示された特定の実施形態は単なる実例であり、本発明は、異なるやり方ではあるが本願明細書の教示に利益を有する当業者に明らかである等価なやり方で修正しかつ実行することができる。更に、以下の請求の範囲に記載される以外には、本願明細書に示した構造または設計の細部に限定されることは意図されない。したがって、上に開示した特定の実施形態は変更されかつ修正され得るとともに、そのような変更のすべてが本発明の範囲内にある考えられることは明白である。従って、本願明細書において求められる保護は以下の請求の範囲に述べる通りである。本発明は、限られた数の形態で示されているが、これらの形態には限定されず、様々な変更および変更が適用可能である。
【図１】
2013534359.tif 000003
【図２】
2013534359.tif 000004
【図３】
2013534359.tif 000005
【手続補正書】
【提出日】平成25年5月28日(2013.5.28)
【手続補正１】
【補正対象書類名】明細書
【補正対象項目名】００３４
【補正方法】変更
【補正の内容】
【００３４】
ここで図３を参照すると、無停電電源装置あるいはバッテリーのようなエネルギー蓄積装置３０１は、電源２０７が供給されている制御電力変圧器３０７によって絶えずチャージされている。制御ロジックを用いて、高圧負荷開閉器２０１を開閉するために、エネルギー蓄積装置３０１からの電力は、負荷開閉器システム２０１に関連付けられた「オープンコイル」制御接触子３０３および「クローズコイル」制御接触子３０５に向けられる。エネルギー蓄積装置３０１はまた、負荷開閉器システム２０１の内部のモータ１１９にも電力を供給する。
通常の作動時（すなわち、電源２０７が供給源のとき）には、ユーザーが開閉器３０６を使用して負荷開閉器２０１の開閉をコントロールすることができる。開閉器３０６がクローズ位置に移動すると、開閉制御コイル３０８にはエネルギーが与えられ、常閉制御接触子３０５および常開制御接触子３０３はその状態が変化してそれぞれ開放しかつ閉じられる。エネルギー蓄積装置３０２の出力は、このように負荷開閉器２０１のクローズコイル入力電源ターミナルに導かれ、したがって負荷開閉器２０１を閉じる。ユーザーが開閉器３０６を開く場合、開閉制御コイル３０８は電源が切れ、常閉制御接触子３０５および常開制御接触子３０３はそれらの通常状態にそれらの状態が変化し、それぞれ閉じられかつ開かれる。また、エネルギー蓄積装置３０２の出力は、負荷開閉器２０１のオープンコイル入力電源ターミナルにこのように導かれ、それによって負荷開閉器２０１を開く。
【国際調査報告】
2013534359.tif 000006
2013534359.tif 000007